(57)【要約】      （修正有）【課題】長さの異なる２種類のワイヤハーネスに対して１種類のワイヤハーネスを共用することができるとともに、長さの変更を容易に行うことができるワイヤハーネスの長さ調整構造を提供する。【解決手段】被覆電線１２と、被覆電線１２の中間の余長部分１２ａがつづら折りされ、つづら折りされた余長部分１２ａを束ねる状態にテープ２０ａ巻きにより形成され、被覆電線１２に所要引張力Ｆが作用されたときに束ねる状態を解消する第１のテープ固定部２０と、つづら折りされた余長部分１２ａを含む前後領域を外装するコルゲートチューブ２２と、コルゲートチューブ２２の一端開口を閉塞するように、粘着テープ２８ａをコルゲートチューブ２２と被覆電線１２または被覆電線１２に保護チューブが被せられている場合には保護チューブに巻き付けた第２のテープ固定部２８と、を備えている。【選択図】図１
2017108486.tif 000002
【特許請求の範囲】
【請求項１】
被覆電線と、
前記被覆電線の中間の余長部分がつづら折りされ、前記つづら折りされた余長部分を束ねる状態にテープ巻きにより形成され、前記被覆電線に所要引張力が作用されたときに前記束ねる状態を解消する第１のテープ固定部と、
前記つづら折りされた余長部分を含む前後領域を外装するコルゲートチューブと、
前記コルゲートチューブの一端開口を閉塞するように、粘着テープを前記コルゲートチューブと前記被覆電線または前記被覆電線に保護チューブが被せられている場合には前記保護チューブに巻き付けた第２のテープ固定部と、
を備えたことを特徴とするワイヤハーネスの長さ調整構造。
【請求項２】
前記第１のテープ固定部に用いられているテープは、前記被覆電線に所要引張力が作用されたときに前記束ねる状態を解消する弱粘着力を有していることを特徴とする請求項１に記載のワイヤハーネスの長さ調整構造。
【請求項３】
前記第１のテープ固定部は、前記テープが、前記余長部分の前記第２のテープ固定部側に寄った部分に巻き解けないように巻回されてから、前記つづら折りされた余長部分を束ねる状態に巻き付けられていることを特徴とする請求項２に記載のワイヤハーネスの長さ調整構造。
【請求項４】
前記被覆電線は、前記余長部分を除いた領域の一部または全部が、前記保護チューブで外装されていることを特徴とする請求項１乃至３のいずれか１項に記載のワイヤハーネスの長さ調整構造。
【発明の詳細な説明】
【技術分野】
【０００１】
本発明は、ワイヤハーネスの長さ調整構造に関する。
【背景技術】
【０００２】
従来、自動車用のワイヤハーネスは、車両レイアウト等に適合したルートで配索され、車両レイアウトが異なる車種では、異なる長さのワイヤハーネスが用いられるのが一般的である。
【０００３】
例えば、図６に示すように、被覆電線１２の両端にコネクタ１６、１８が取り付けられ、中間にコルゲートチューブ２２が外装されているワイヤハーネス１００が或る車両に用いられ、一方、コルゲートチューブ２２からコネクタ１８までの被覆電線１２の長さがＬだけ長いワイヤハーネス１１０が別の種類の車両に用いられる場合がある。このように電線構成、外装構成等の基本構成が同じで、長さのみ異なる２種類のワイヤハーネス１００、１１０を共用できれば製造・管理コストが抑えられるので、共用化のために種々の対策がとられてきた（例えば、特許文献１参照）。
【０００４】
特許文献１には、図７に示すように、ワイヤハーネス１２０の経路途中に、コルゲートチューブで外装されていない露出電線束１１３を折り返して折り返し部１１４を形成し、それを覆うように連結用コルゲートチューブ１１５を外装したワイヤハーネスの長さ調整構造が開示されている。このワイヤハーネス１２０を長尺用として使用する場合には、折り返し部１１４を直線状に延ばして使用する。
【先行技術文献】
【特許文献】
【０００５】
【特許文献１】特開平１０−３１２７１６号公報
【発明の概要】
【発明が解決しようとする課題】
【０００６】
しかしながら、特許文献１に記載のワイヤハーネスの長さ調整構造にあっては、図７に示すように、ワイヤハーネスを短尺用として使用する場合は折り返し部１１４を形成した状態で連結用コルゲートチューブ１１５の両端部をそれぞれ第１、第２外装部１１２ａ、１１２ｂにテープ巻きＴで固定している。このため、短尺用を長尺用に変更する場合には、テープ巻きＴを解く必要があり、手間が掛かり長さ変更作業が効率的でなかった。
【０００７】
本発明は、上述のような課題を解決するためになされたもので、長さの異なる２種類のワイヤハーネスに対して１種類のワイヤハーネスを共用することができるとともに、長さの変更を容易に行うことができるワイヤハーネスの長さ調整構造を提供することを目的とする。
【課題を解決するための手段】
【０００８】
本発明に係るクリップは、上記目的達成のため、被覆電線と、前記被覆電線の中間の余長部分がつづら折りされ、前記つづら折りされた余長部分を束ねる状態にテープ巻きにより形成され、前記被覆電線に所要引張力が作用されたときに前記束ねる状態を解消する第１のテープ固定部と、前記つづら折りされた余長部分を含む前後領域を外装するコルゲートチューブと、前記コルゲートチューブの一端開口を閉塞するように、粘着テープを前記コルゲートチューブと前記被覆電線または前記被覆電線に保護チューブが被せられている場合には前記保護チューブに巻き付けた第２のテープ固定部と、を備えた構成である。
【０００９】
この構成により、長さの異なる２種類のワイヤハーネスに対して１種類のワイヤハーネスを共用することができる。併せて、被覆電線に所要引張力を作用させるだけで、被覆電線の中間のつづら折りされた余長部分を束ねる状態を解消することができるので、テープ巻きを解く等の煩雑な作業をすることなく、簡単な引張作業で短尺から長尺のワイヤハーネスに容易に変更することができる。
【００１０】
前記第１のテープ固定部に用いられているテープは、前記被覆電線に所要引張力が作用されたときに前記束ねる状態を解消する弱粘着力を有している構成としてもよい。
【００１１】
この構成により、被覆電線の中間のつづら折りされた余長部分を束ねる状態にテープ巻きを維持しつつも、コルゲートチューブの他端部より出ている被覆電線に所要引張力を作用させたときには、束ねる状態を解消することが簡易な構成により実現できる。
【００１２】
前記第１のテープ固定部は、前記テープが、前記余長部分の前記第２のテープ固定部側に寄った部分に巻き解けないように巻回されてから、前記つづら折りされた余長部分を束ねる状態に巻き付けられている構成としてもよい。
【００１３】
この構成により、弱粘着テープが被覆電線の余長部分の第２のテープ固定部側に寄った部分に巻き解けないように巻回されているので、短尺から長尺のワイヤハーネスに変更するために、被覆電線に所要引張力を作用させて被覆電線の中間のつづら折りされた余長部分を束ねる状態を解消した際に、弱粘着テープが被覆電線に取り付いたままとなる。これにより、ワイヤハーネスから不要になった弱粘着テープがゴミとして出ることを防止できる。
【００１４】
前記被覆電線は、前記余長部分を除いた領域の一部または全部が、前記保護チューブで外装された構成としてもよい。
【００１５】
この構成により、被覆電線を保護するとともに、被覆電線に所要引張力を作用させるとき、コネクタとともに保護チューブを掴んで引っ張ることで被覆電線に断線が生じ難くなる。
【発明の効果】
【００１６】
本発明によれば、長さの異なる２種類のワイヤハーネスに対して１種類のワイヤハーネスを共用することができるとともに、長さの変更を容易に行うことができるワイヤハーネスの長さ調整構造を提供することができる。
【図面の簡単な説明】
【００１７】
【図１】本発明の第１の実施の形態に係るワイヤハーネスの長さ調整構造を示し、短尺の状態のワイヤハーネスの一部破断正面図である。
【図２】図１のワイヤハーネスの長さ変更により、長尺となったワイヤハーネスの一部破断正面図である。
【図３】図３（ａ）は図１のＡ−Ａ断面図であり、図３（ｂ）はその変形例を示す図である。
【図４】本発明の第１の実施の形態に係るワイヤハーネスの長さ調整構造の製造方法を示す説明図である。
【図５】本発明の第２の実施の形態に係るワイヤハーネスの長さ調整構造を示し、短尺の状態のワイヤハーネスの一部破断正面図である。
【図６】共用化する長短２種類のワイヤハーネスを示す説明図である。
【図７】特許文献１のワイヤハーネスを示す説明図である。
【発明を実施するための形態】
【００１８】
以下、本発明に係る実施の形態について図面を参照して説明する。
【００１９】
（第１の実施の形態）
本発明の第１の実施の形態に係るワイヤハーネス１０の長さ調整構造は、図１に示すように、被覆電線１２と、第１のテープ固定部２０と、コルゲートチューブ２２と、第２のテープ固定部２８と、を備えている。この長さ調整構造により、ワイヤハーネス１０の長さを変更することで、図６に示すように長さのみ異なる２種類のワイヤハーネスを、１種類のワイヤハーネスで共用できるようになっている。図１に示すワイヤハーネス１０は、短い（短尺）状態のワイヤハーネスである。図２に示すワイヤハーネス１０は、長さ調整構造により図１の短尺のワイヤハーネス１０から長さが変更された状態であり、長い（長尺）状態のワイヤハーネスである。
【００２０】
被覆電線１２は、１または複数本から構成され、両端にコネクタ１６、１８が取り付けられている。各被覆電線１２は、径が小さい銅線の束である導線と、導線を被覆するポリ塩化ビニル（ＰＶＣ）などの絶縁被覆材と、を有している。なお、導線は、径が大きい１本の銅線等であってもよい。また、導線は、アルミニウム線であってもよい。
【００２１】
第１のテープ固定部２０は、被覆電線１２の中間の余長部分１２ａがつづら折りされ、つづら折りされた余長部分１２ａを束ねる状態にテープ巻きにより形成され、被覆電線１２に所要引張力Ｆが作用されたときに上記束ねる状態を解消するように構成されている。なお、本発明における「つづら折り」とは、折り曲げて重ねる方向に次々に逆になるように折ることであり、２回以上（好ましくは２回）折り重ねる場合をいう。余長部分１２ａは、図６に示すように、長尺のワイヤハーネス１１０と短尺のワイヤハーネス１００との長さの差Ｌより大きい長さを有している。短尺から長尺に長さを変更すると、この余長部分１２ａのうち、長さＬ分だけ長くすることができる（図２参照）。
【００２２】
図２は、長尺のワイヤハーネスに変更した状態を示している。図１に示す被覆電線１２の中間の余長部分１２ａを束ねる状態が解消されて、長尺のワイヤハーネス１１０と短尺のワイヤハーネス１００との長さの差Ｌ分だけコルゲートチューブ２２から引き出された状態となっている。被覆電線１２をコルゲートチューブ２２から引き出す長さを調整することにより、共用する長短２種類のワイヤハーネスの長さの差Ｌを調整することができる。
【００２３】
第１のテープ固定部２０に用いられている弱粘着テープ２０ａは、被覆電線１２に所要引張力Ｆが作用されたときに上記束ねる状態を解消する弱粘着力を有している。また、第１のテープ固定部２０は、図３（ａ）に示すように、つづら折りされた余長部分１２ａを束ねる状態に弱粘着テープ２０ａを約１．５〜２回巻き付けている。弱粘着テープ２０ａには、長手方向に垂直な幅方向にスリットあるいはノッチが形成されていてもよい。
【００２４】
また、図３（ｂ）に示すように、第１のテープ固定部２０は、弱粘着テープ２０ａが、余長部分１２ａの第２のテープ固定部側に寄った部分に巻き解けないように巻回されてから、上記つづら折りされた余長部分１２ａを束ねる状態に巻き付けられた構成としてもよい。このような構成により、短尺から長尺のワイヤハーネスに変更するために、被覆電線１２に所要引張力Ｆを作用させて被覆電線１２の余長部分１２ａを束ねる状態を解消した際に、弱粘着テープ２０ａが被覆電線１２に取り付いたままとなる可能性が高くなる。これにより、ワイヤハーネス１０から不要になった弱粘着テープ２０ａがゴミとして出ることを防止することができる。
【００２５】
コルゲートチューブ２２は、つづら折りされた余長部分１２ａを含む前後領域を外装するようになっている。このコルゲートチューブ２２は、樹脂成形品であり、筒状の本体を有し、その長手方向に沿って環状凸部と環状凹部とが交互に形成された蛇腹状となっている。また、筒状の本体には、その長手方向に沿ってスリットが形成されている。
【００２６】
図１に示すように、第２のテープ固定部２８は、コルゲートチューブ２２の一端開口を閉塞するように、粘着テープ２８ａをコルゲートチューブ２２と被覆電線１２に巻き付けた構成となっている。すなわち、コルゲートチューブ２２の同図左側の端部が被覆電線１２に固定されている。なお、コルゲートチューブ２２の他端部は、コルゲートチューブ２２のスリットが拡がって被覆電線１２に損傷を与えないようにするために、テープ巻きが施されていてもよい。ただし、このテープ巻きは被覆電線１２までは及ばせず、このコルゲートチューブ２２の他端部は、被覆電線１２には固定されていない。
【００２７】
次に、本実施の形態に係る長さ調整構造を有するワイヤハーネス１０の製造方法を説明する。
まず、図４（ａ）に示すように、ワイヤハーネス１０に用いる１または複数の被覆電線１２を用意する。被覆電線１２の両端には、コネクタ１６、１８が取り付けられているが、以下の一連の工程を実施した後に、コネクタ１６、１８を取り付けてもよい。
【００２８】
次いで、図４（ｂ）に示すように、被覆電線１２の所定の中間位置にて、所要長さの余長部分１２ａをつづら折りにする。この所要長さは、短尺の状態と長尺の状態でのワイヤハーネスの長さの差より大きくしておく（図６参照）。図４（ｂ）では、折り返し箇所は２箇所あるが、これに限定されず、２以上の任意の偶数回数、折り返すようにしてもよい。
【００２９】
次いで、図４（ｃ）に示すように、つづら折りされた余長部分１２ａを束ねる状態に、弱粘着テープ２０ａを約１．５〜２回巻き付ける。巻き付ける回数が多すぎると、被覆電線１２を引っ張って長尺のワイヤハーネスに変更するとき、弱粘着テープ２０ａがコルゲートチューブ２２内に残留するので好ましくない。
【００３０】
次に、図４（ｄ）に示すように、被覆電線１２のつづら折りされた余長部分１２ａを含む前後領域に、コルゲートチューブ２２を外装する。
【００３１】
その後、図４（ｅ）に示すように、コルゲートチューブ２２の同図左側の端部と被覆電線１２とを粘着テープ２８ａで一体に巻き付け（巻き落し）、コルゲートチューブ２２の左端部を被覆電線１２に固定する。コルゲートチューブ２２の同図右側の端部は、割止めのためにテープ巻きをしておく。また、必要に応じて、ワイヤハーネス１０を車両側の支持パネルに固定するためのバンド型クリップ等をコルゲートチューブ２２に外装する。以上により、長さ調整構造を有するワイヤハーネス１０の製造が完了する。
【００３２】
［検証試験］
本実施の形態に係るワイヤハーネスの長さ調整構造を用いて、長さ変更の検証試験を行った。検証試験で使用したワイヤハーネスは、被覆電線１２と、第１のテープ固定部用の弱粘着テープ２０ａと、第２のテープ固定部用の粘着テープ２８ａと、コルゲートチューブ２２と、を用いて構成した。
【００３３】
検証試験では、被覆電線１２の本数と、第１のテープ固定部２０におけるテープ巻きの巻数とを変えて、短尺のワイヤハーネスを４種類作成し（実施例１〜４）、それぞれについて被覆電線１２を引っ張って長尺のワイヤハーネスに変更する作業を行って、その成否を調べた。検証試験は各種類（各実施例）のワイヤハーネスについて５回行った。
【００３４】
検証試験の条件および結果を表１に示す。なお、実施例１および３は、第１のテープ固定部での弱粘着テープの巻数を標準的な２に設定し、実施例２および４は、巻数を多め（１５）に設定し、その影響も調べた。
【００３５】
【表１】
2017108486.tif 000003
【００３６】
表１に示すように、実施例１〜４のすべてにおいて被覆電線の断線や損傷等の不具合は発生しなかった。また、第１のテープ固定部での弱粘着テープの巻数を１５にしても、長尺のワイヤハーネスに変更する上で支障はなかった。よって、この検証試験により、本実施形態に係るワイヤハーネスを短尺から長尺に良好に変更できることが確認できた。
【００３７】
以上述べたように、第１の実施の形態によるワイヤハーネスの長さ調整構造は、長さの異なる２種類のワイヤハーネスに対して１種類のワイヤハーネスで共用することができる。併せて、被覆電線１２に所要引張力Ｆを作用させるだけで、被覆電線１２の中間のつづら折りされた余長部分１２ａを束ねる状態を解消することができるので、テープ巻きを解く等の煩雑な作業をすることなく、簡単な引張作業で短尺から長尺のワイヤハーネスに容易に変更することができる。
【００３８】
また、第１のテープ固定部２０に用いられている弱粘着テープ２０ａにより、被覆電線１２の中間のつづら折りされた余長部分１２ａを束ねる状態にテープ巻きを維持しつつも、コルゲートチューブ２２の他端部より出ている被覆電線１２に所要引張力Ｆを作用させたときには、束ねる状態を解消することが簡易な構成により実現できる。
【００３９】
また、弱粘着テープ２０ａの一端部が被覆電線１２に巻回されている構成により、短尺から長尺のワイヤハーネスに変更するために、被覆電線１２に所要引張力Ｆを作用させて被覆電線１２の中間のつづら折りされた余長部分１２ａを束ねる状態を解消した際に、弱粘着テープ２０ａが被覆電線１２に取り付いたままとなる。これにより、ワイヤハーネス１０から不要になった弱粘着テープ２０ａがゴミとして出ることを防止できる。
【００４０】
第１の実施の形態のワイヤハーネスの長さ調整構造の変形例として、コルゲートチューブ２２の代わりに、保護チューブやプロテクタ等の外装部品を用いても同様の作用効果を奏することができる。
【００４１】
（第２の実施の形態）
次に、図５を参照して本発明の第２の実施の形態に係るワイヤハーネスの長さ調整構造について説明する。
ワイヤハーネス４０の長さ調整構造は、保護チューブ２４、２６以外の構成が前述の第１の実施の形態のワイヤハーネス１０の長さ調整構造と同様な構成を有しているので、第１の実施の形態中の対応する構成要素の符号を用いて説明を省略する。
【００４２】
被覆電線１２は、余長部分１２ａを除いた領域の一部または全部が、保護チューブ２４、２６で外装されている。第２のテープ固定部２８は、図５に示すように、コルゲートチューブ２２の一端部と、被覆電線１２に外装された保護チューブ２４とに、粘着テープ２８ａが巻き付けられた構成であり、コルゲートチューブ２２の同図左側の端部が保護チューブ２４に固定されている。
【００４３】
例えば、ワイヤハーネス４０がエンジンルーム内で使用される場合には、保護チューブ２４として、ビニルチューブを用いてもよい。また、例えば、ワイヤハーネス４０が車両室内で使用される場合には、保護チューブ２４の代わりに、ビニルテープを巻き付けた構成としもよいし、必要に応じてビニルテープの巻き付けを省略してもよい。
【００４４】
本実施の形態では、余長部分１２ａを除いた領域の全部が、保護チューブ２４、２６で外装されている構成により、被覆電線１２を保護するとともに、被覆電線１２に所要引張力Ｆを作用させるとき、コネクタ１８とともに保護チューブ２６を掴んで引っ張ることで被覆電線１２に断線が生じ難くなる。
【００４５】
本発明は、上記の実施の形態に限定されるものではなく、特許請求の範囲の技術的範囲には、発明の要旨を逸脱しない範囲内で、種々、設計変更した形態が含まれる。
【００４６】
以上のように、本発明は、長さの異なる２種類のワイヤハーネスに対して１種類のワイヤハーネスを共用することができるとともに、長さの変更を容易に行うことができるという効果を有し、ワイヤハーネスの長さ調整構造の全般に有用である。
【符号の説明】
【００４７】
１０、４０  ワイヤハーネス
１２  被覆電線
１２ａ  余長部分
２０  第１のテープ固定部
２０ａ  弱粘着テープ（テープ）
２２  コルゲートチューブ
２４、２６  保護チューブ
２８  第２のテープ固定部
２８ａ  粘着テープ
【図１】
2017108486.tif 000004
【図２】
2017108486.tif 000005
【図３】
2017108486.tif 000006
【図４】
2017108486.tif 000007
【図５】
2017108486.tif 000008
【図６】
2017108486.tif 000009
【図７】
2017108486.tif 000010